(57)【要約】【課題】  国内で排出されるバイオマスの有効利用を促進する技術に関し、インターネット等の公衆網を利用してバイオマスの認証を可能化する技術を確立し、国内排出量取引制度及び製品のトレーサビリティ制度に関連付けさせることにより、国内で排出されるバイオマスの有効利用を促進する技術を提供することを課題とする。【解決手段】  バイオマスの認証方法において、バイオマスを分割したパケットを取引の単位として構成する第１商品、又は、この第１商品から製造された製品を取引の単位として構成する第２商品に認証媒体を添付して、この認証媒体に記憶された固有の認証記号を検出してこれら商品を認証することを特徴とする。【選択図】      図１
2005250791.tif 000002
【特許請求の範囲】
【請求項１】
商品に添付された認証媒体に記憶された固有の認証記号を認識して行うバイオマスの認証方法であって、
前記バイオマスを分割した複数のパケットの各々に第１登録記号を付与する第１登録ステップと、
前記パケットの情報を公開する情報公開ステップと、
この情報に基づき前記パケットの注文を受注する受注ステップと
前記パケットを取引の単位として構成する第１商品に第１認証媒体を添付して譲渡する一次譲渡ステップと、
前記第１認証媒体から第１認証記号を認識する第１記号認識ステップと、
認識した前記第１認証記号から前記第１登録記号を照会して前記第１商品を認証する第１認証ステップと、
譲渡された前記第１商品から複数の製品を製造する製造ステップと、
前記製品を取引の単位として構成する第２商品に第２認証媒体を添付して譲渡する二次譲渡ステップと、
前記第２認証媒体の第２認証記号を、第１登録記号と関連した第２登録記号に関連付ける第２登録ステップと、
前記第２認証媒体から第２認証記号を認識する第２記号認識ステップと、
認識した前記第２認証記号から前記第２登録記号を照会して前記第２商品を認証する第２認証ステップと、を含むことを特徴とするバイオマスの認証方法。
【請求項２】
前記バイオマスの排出権は、前記第１商品または前記第２商品に含まれるバイオマスの量に応じて、それぞれ前記第１認証媒体または前記第２認証媒体に化体させて譲渡でき、これら認証媒体の譲渡先で消尽できることを特徴とする請求項１に記載のバイオマスの認証方法。
【請求項３】
前記製品に付された登録記号、又は、添付された認証媒体に記憶された認証記号に基づいて、前記製品のトレーサビリティ情報が確認できることを特徴とする請求項１又は請求項２に記載のバイオマスの認証方法。
【請求項４】
商品に添付された認証媒体に記憶された固有の認証記号を認識してバイオマスを認証するためにコンピュータを、
前記バイオマスを分割した複数のパケットの各々に付与する第１登録記号を生成する第１登録記号生成手段、
前記パケットを取引の単位として譲渡した第１商品に添付された第１認証媒体から認識した第１認証記号を受信する第１認証記号受信手段、
受信した前記第１認証記号から前記第１登録記号を照会して前記第１商品の情報を転送する第１情報転送手段、として機能させることを特徴とするバイオマスの認証プログラム。
【請求項５】
前記コンピュータは、
複数の前記パケットの情報を公開する情報公開手段、
この情報に基づき前記パケットの注文を受信する受注データ受信手段、としての機能も含むことを特徴とする請求項４に記載のバイオマスの認証プログラム。
【請求項６】
前記コンピュータは、
前記第１商品から製造された製品を取引の単位とする第２商品に添付した第２認証媒体の第２認証記号を、第１登録記号と関連した第２登録記号に関係付ける第２登録手段、
前記第２認証媒体から認識した第２認証記号を受信する第２認証記号記号受信手段、
受信した前記第２認証記号から前記第２登録記号を照会して前記第２商品の情報を転送する第２情報転送手段、としての機能も含むことを特徴とする請求項４又は請求項５に記載のバイオマスの認証プログラム。
【請求項７】
前記コンピュータは、
前記バイオマスの排出権を数値化したポイントを、前記第１商品または前記第２商品に含まれるバイオマスの量に応じて分配し、それぞれ前記第１登録記号または前記第２登録記号に関連させる機能も含むことを特徴とする請求項６に記載のバイオマスの認証方法。
【請求項８】
バイオマスを分割したパケットを取引の単位として構成する第１商品、又は、この第１商品から製造された製品を取引の単位として構成する第２商品に添付され、タグ認証手段により検出される固有の認証記号が記憶されたバイオマスの認証媒体であって、
前記認証記号は、前記第１商品、又は、前記第２商品がそれぞれ登録されている登録記号に関連付けされており、
前記タグ認証手段により前記認証記号を検出して、この認証記号から前記登録記号を照会して、前記第１商品、又は、前記第２商品を認証することを特徴とするバイオマスの認証媒体。
【請求項９】
前記認証記号は、所定の識別子と、重複のない認証子とから構成され、
前記所定の識別子を含む前記認証記号のみが前記認証の対象となることを特徴とする請求項８に記載のバイオマスの認証媒体。
【請求項１０】
前記第１商品または前記第２商品に含まれるバイオマスの排出権が化体することを特徴とする請求項８または請求項９記載のバイオマスの認証媒体。
【請求項１１】
前記認証媒体は、その記憶する認証記号が前記タグ認証手段の発する電波により読み取られる、無線ＩＣタグであることを特徴とする請求項８〜請求項１０のいずれか一項に記載のバイオマスの認証媒体。
【請求項１２】
バイオマスを分割したパケットを取引の単位として構成する第１商品、又は、この第１商品から製造された製品を取引の単位として構成する第２商品に認証媒体を添付して、この認証媒体に記憶された固有の認証記号を認識してこれら商品を認証するバイオマスの認証システムであって、
公衆網を経由して送信された前記商品の情報を受信するデータ受信手段と、
前記認証記号に関連付ける登録記号を生成する登録記号生成手段と、
この登録記号に前記情報を関連付けて蓄積する蓄積手段と、
前記情報の公開要求に対し前記蓄積手段から前記登録記号に関連付けされた前記情報を抽出する情報抽出手段と、を備え、
公衆網を経由して前記情報を公開することを特徴とするバイオマスの認証システム。
【請求項１３】
バイオマスを分割したパケットを取引の単位として構成する第１商品、又は、この第１商品から製造された製品を取引の単位として構成する第２商品に添付した認証媒体に記憶された固有の認証記号を認識するバイオマスの認証端末であって、
前記認証記号を認識するタグ認証手段と、
認識した前記認証記号が登録されている管理サーバに公衆網を介してアクセスするデータ送信手段と、を備えることを特徴とするバイオマスの認証端末。
【請求項１４】
前記認証端末を特定する固有の記号である端末ＩＤを発生する端末ＩＤ発生手段を有し、
前記データ送信手段は、前記端末ＩＤが登録されている前記管理サーバに公衆網を介してアクセスすることを特徴とする請求項１３に記載のバイオマスの認証端末。
【発明の詳細な説明】
【技術分野】
【０００１】
本発明は、国内で排出されるバイオマスの有効利用を促進する技術に関し、特に、インターネット等の公衆網を利用し、バイオマスが使用された製品の認証を行う技術に関する。
【背景技術】
【０００２】
従来より、国内で排出されるバイオマス（生物資源）の有効利用を図り循環型の社会を構築するため、バイオマスのエネルギ変換技術や多目的用途への利用技術等、実用面における転換技術に関する研究が広く実施されている（例えば、非特許文献１参照）。
一方、排出量の低減により環境保全を図ること目的として、国内の事業者に排出枠を設け、過不足分を取引で行う国内排出量取引制度の整備が検討されている。
さらに、製品の生産から流通販売にいたる過程において、加工処理の履歴や材料及び部品の産出・生産源を明確化するトレーサビリティの確立が望まれている。
【非特許文献１】横山，「バイオマスで拓く循環型システム」，工業調査会，２００３年３月２０日
【発明の開示】
【発明が解決しようとする課題】
【０００３】
ところで、前記したバイオマス資源を有効利用する試みは、その資源が流通する範囲が極めて限定的であるため量販効果による製造原価の低減が望めず、その技術の利用が充分に促進されない課題をかかえている。本発明は、かかる課題を解決することを目的として創案されたものであり、インターネット等の公衆網を利用してバイオマスの認証を可能化する技術を確立し、国内排出量取引制度及び製品のトレーサビリティ制度に関連付けさせることにより、国内で排出されるバイオマスの有効利用を促進する技術を提供することを目的とするものである。
【課題を解決するための手段】
【０００４】
本発明は、前記した目的を達成するために創案されたものであり、商品に添付された認証媒体に記憶された固有の認証記号を認識して行うバイオマスの認証する技術であって、前記バイオマスを分割した複数のパケットの各々に第１登録記号を付与する第１登録ステップと、前記パケットの情報を公開する情報公開ステップと、この情報に基づき前記パケットの注文を受注する受注ステップと、前記パケットを取引の単位として構成する第１商品に第１認証媒体を添付して譲渡する一次譲渡ステップと、前記第１認証媒体から第１認証記号を認識する第１記号認識ステップと、認識した前記第１認証記号から前記第１登録記号を照会して前記第１商品を認証する第１認証ステップと、譲渡された前記第１商品から複数の製品を製造する製造ステップと、前記製品を取引の単位として構成する第２商品に第２認証媒体を添付して譲渡する二次譲渡ステップと、前記第２認証媒体の第２認証記号を、第１登録記号と関連した第２登録記号に関連付ける第２登録ステップと、前記第２認証媒体から第２認証記号を認識する第２記号認識ステップと、認識した前記第２認証記号から前記第２登録記号を照会して前記第２商品を認証する第２認証ステップと、を含むことを特徴とする。
【０００５】
かかる発明によれば、排出されたバイオマスが所定の量に分割されてネットワーク上で公開販売されるため、この情報を閲覧した多くの者から注文を得ることができる。そして、バイオマスの一次原料またはこれを利用した原料製品等の製造者等は、産地情報や譲渡情報を登録し、これらの登録した情報に関連付けさせた第１、第２認証媒体（ＩＣタグ）を商品に添付して流通させる。このため、これら商品を需要する者は、第１、第２認証媒体に記憶された認証記号を読み出して、この認証番号に関連付けられた登録情報を閲覧することができる。
【発明の効果】
【０００６】
本発明により以下に示す優れた効果を奏する。すなわち、国内で排出されたバイオマス資源を分割して複数（以下、パケットと呼ぶ）にして、ＩＣタグ等の認証媒体を付加して取引を行えば、流通した後においてもこれらパケットの排出源を識別することが可能になる。また、これらバイオマスのパケットの取引をインターネット上で行うことにより、市場が全国規模に広がり取引が促進されバイオマスの需要が増える。さらに、これらパケットから製造した製品にもＩＣタグ等を付加して取引を行えば、履歴情報を管理センタ等で一箇所に登録することを前提として、バイオマスの流通に国内排出量取引制度やトレーサビリティ制度を組み込むことができる。これにより、国内で排出されるバイオマス（生物資源）の有効利用が促進され循環型の社会が構築される。また、バイオマスは細分化（パケット化）され、そのすべてに登録記号がふられ流通が管理されるために、排出されたバイオマスの追跡調査が容易となる。
【発明を実施するための最良の形態】
【０００７】
以下本発明の実施の形態について図面を参照して説明する。
図１〜図５を参照して本発明における実施形態について説明する。図１は、本発明のバイオマス認証方法において、排出されたバイオマスが一次原料として出発して製品化する流通の過程を示す説明図である。図２は、本発明の認証媒体（ＩＣタグ）とその検出原理とを説明するための構成図である。図３Ａ、図３Ｂは管理センタが管理する情報の一覧を示すデータシートであって、（ａ）は排出されたバイオマスの一次原料における産地等の情報（産地情報）を示し、（ｂ）はバイオマスの一次原料の譲渡に関する情報（一次譲渡情報）を示し、（ｃ）はバイオマスの二次原料製品の譲渡に関する情報（二次譲渡情報）を示し、（ｄ）はバイオマスの三次原料製品または最終製品の譲渡に関する情報（三次譲渡情報）を示し、（ｅ）は、一般需要者が、閲覧することが可能な製品のトレーサビリティに関する情報を示す。なお、図３Ａ、図３Ｂに示す情報は、プライバシを侵害しないように、公開内容を限定したり、アクセスできる者の権限を設け適当な制限を与えたりすることによって、適宜、インターネット（公衆網）上で閲覧が可能なものとする。図４は本発明にかかるバイオマスの認証システムを含む実施形態を示す基本構成図である。図５は本発明のバイオマスの認証方法における情報または物の流れを示すフローチャートである。
【０００８】
まず、図１を参照して、排出されたバイオマスの一次原料が、市場に流通して製品化される過程について説明をする。
バイオマス排出者Ａ（ここでは○×山林組合とする）が排出したバイオマス（杉の伐採枝２０トン）があるとする。そして、このバイオマス（杉の伐採枝）を、市場に流通して取引される際の最小単位であるパケットに分割する。ここでは、一つのパケットを１トンとして２０個のパケットに分割する。すなわち、排出されたバイオマスは、工業製品の一次原料として、このパケット単位で取引が行なわれることとする。
【０００９】
ここで、一次製品製造者Ｃ１（ここではＡＢＣ製材）は、バイオマスの一次原料を使用して最終製品の原料製品（二次原料製品という）を製造する者である。また、一次製品製造者Ｃ１は、バイオマス排出者Ａからバイオマスの一次原料のパケットを３個購入したとする。なお、バイオマス排出者Ａから一次製品製造者Ｃ１に譲渡される、これら３個のパケット(第１商品)には、後記するＩＣタグＡ１（第１認証媒体）を添付して納品される。
【００１０】
二次製品製造者Ｃ２（ここでは△○樹脂工業）は、バイオマスを使用した二次原料製品を使用して最終製品または最終製品の原料製品（三次原料製品という）を製造する者である。ここで、二次製品製造者Ｃ２は、一次製品製造者Ｃ１から二次原料製品をバイオマスの重量換算で２００ｋｇ分購入したとする。なお、一次製品製造者Ｃ１から二次製品製造者Ｃ２に譲渡される、これら二次原料製品(第２商品)には、後記するＩＣタグＢ２（第２認証媒体）が添付して納品される。そして、二次製品製造者Ｃ２が製造した最終製品には、認証マークＣ１が刻印されて需要者に供給される。また、三次原料製品は、ＩＣタグＣ２が付されて三次製品製造者に納品される。
【００１１】
ここで、図２を参照して無線ＩＣタグ（認証媒体）について説明を行う。
無線ＩＣタグ（ＲＦＩＤ（Radio Frequency Identification）タグ）（ＩＣタグ７０）とは、アンテナ７０ａとＩＣチップ（メモリ）７０ｂとからなり、タグ認証手段５１と無線通信することにより認証・情報管理を行うことができるものである。ＩＣタグ７０は、非接触的にＩＣチップ７０ｂに記憶されたデータの読取を行うことができるので、梱包された状態でも、このＩＣタグ７０が添付された複数の製品を同時に自動識別することができるものである。
【００１２】
ＩＣタグ７０は、読取専用メモリ（ＲＯＭ）であるＩＣチップ７０ｂに、製造段階で数千桁以上のデータ（認証記号）を記憶したもので、この認証記号は書き換えができないことから、複製が不能で高い真正性を保証するものである。
認証記号は図２に示すように、ＩＣタグ７０に所定の識別子と重複がない認証子（認証ＩＤ）とからなる。そして、認証記号にこの識別子を含まないＩＣタグは、本発明のバイオマスの認証システム８０が利用できないように、すなわち、所定の識別子を含む認証記号が記憶されたＩＣタグのみが認証されるようにする。
【００１３】
このように、認証システム８０で利用できるＩＣタグ７０を、所定の識別子が含まれるものに限定することで、前記第１商品または第２商品に添付するＩＣタグ７０の入手ルートが限定される。よって、このＩＣタグ７０の販売をシステムの管理者が一手に取り扱えば、ＩＣタグ７０の売上を認証システム８０の運用資金に当てることが可能になる。なお、この所定の識別子は、一種類に限定されるものでなく、認証システム８０の運用に応じて複数を使いわけることが可能である。
【００１４】
次に、図３Ａ、図３Ｂを参照して本発明にかかるバイオマスの認証システムで取り扱う各種情報について説明する。
図３Ａ（ａ）に示すデータシートは、市場で公開販売されているバイオマスの産地情報Ｉを示したものである。この産地情報Ｉとは、図３Ａ（ａ）に示すように、例えば、バイオマスの排出地、経年、種類、伐採日時、総量、所属、分割数、ポイント等である。これら産地情報Ｉは、バイオマスの種類及び所属毎に割り当てられた登録子により分類されている。ここで、分割数とは、排出されたバイオマスが分割されて市場に流通するときの最小単位となるパケットの数をいう。
またポイントとは、バイオマスの排出権を数値化したものをいい、国内排出量取引制度で設けられた取引枠において実際に取引される客体である。
【００１５】
図３Ａ（ｂ）は、図１に示すバイオマス排出者Ａ（○×山林組合）が排出したバイオマス（杉の伐採枝）の譲渡先の一覧を示す一次譲渡情報のデータシートである。ここで譲渡情報（一次、二次譲渡情報…）には、商品の譲渡先、この商品の種類、重量、ポイント、譲渡日、認証ＩＤ等の情報が含まれる。この一次譲渡情報の左列には、各パケットに割り振られた第１登録記号が記載されている。この第１登録記号は、図３Ａに示すように、元の登録子に対して重複しない一次枝記号が付加されて構成される。図３Ａ（ｂ）では、登録子001の商品に関して例示するものであるが、総量２０トンのバイオマスの分割数が２０であるので、単位重量が１トンの２０個のパケットそれぞれに対し、001-A01〜001-A20の第１登録記号が付与されている。そして、一次製品製造者Ｃ１（ＡＢＣ製材）に納品した第１商品に添付したＩＣタグＡ１（図１参照）の認証ＩＤ（第１認証記号）である５２０１が第１登録記号に関連付けて記載されている。
【００１６】
図３Ｂ（ｃ）は、図１に示す一次製品製造者Ｃ１（ＡＢＣ製材）が製造した二次原料製品（樹脂混練用チップ）の譲渡先の一覧を示す二次譲渡情報のデータシートである。この二次譲渡情報の左列には、譲渡先の別に二次原料製品へ添付されたＩＣタグＢ２の認証ＩＤ（第２認証記号）に関連付けて割り振られた第２登録記号が記載されている。二次譲渡情報の第２登録記号は、一次譲渡情報の第１登録記号に対して重複しない二次枝記号が付加されて構成される（図３Ａ参照）。
【００１７】
図３Ｂ（ｄ）は、図１に示す二次製品製造者Ｃ２（△○樹脂工業）が製造した最終製品（玩具）及び三次原料製品（自動車用部品）の譲渡先の一覧を示す三次譲渡情報のデータシートである。この三次譲渡情報の左列には第３登録記号が記載されているが、この第３登録記号は、譲渡先の別に刻印されたり、三次原料製品へ添付されたＩＣタグＣ２に対応して割り振られたりする。三次譲渡情報の第３登録記号は、二次譲渡情報の第２登録記号に対して重複しない三次枝記号が付加されて構成される（図３Ａ参照）。
なお、製品に刻印される登録記号（第１、第２、第３登録記号…）は、認証マークと呼ぶこととし、この認証マークは、この登録記号と同一である必要はなく、関連付けられた記号であればよい。
【００１８】
図３Ｂ（ｅ）は、図１に示す最終製品（玩具）の原材料の履歴の一覧を示すトレーサビリティ情報のデータシートである。このデータシートの構成は、最終製品に刻印されている認証マークの登録記号の元になる各登録記号（第１登録記号〜第３登録記号）の譲渡情報（一次譲渡情報〜三次譲渡情報）をソートして並べたものである。
【００１９】
なお、図において省略されているが、図３Ａ、図３Ｂの（ａ）〜（ｅ）で示される各データシートは、認証ＩＤごとに、作業対価、サイクルコスト、その他の各種情報も登録されている場合がある。
【００２０】
次に図４を参照して、本発明のバイオマスの認証システムを含む実施形態について説明する。図４に示すように、本発明のバイオマスの認証システムの基本構成は、バイオマス排出者Ａが所持する産地情報入力端末２０と、管理センタＢに設置され管理サーバ３０及び公開サーバ（情報公開手段）４０を有する認証システム８０と、バイオマスを含む製品を製造する製品製造者Ｃに設置されている製造者端末（認証端末）５０と、製品製造者Ｃが製造した最終製品を需要する一般需要者Ｄに設置されている需要者端末６０とが、インターネット等の公衆網１０に接続されて構成されている。
【００２１】
産地情報入力端末２０は、一地域（ここではバイオマス排出者Ａの所在地）で排出されたバイオマスを、管理センタＢに登録申請するとともに、このバイオマスに関する情報（産地情報Ｉ）を発信するものである。
また産地情報入力端末２０は、無線通信手段であるモバイルであることが望ましい。これは、バイオマスの排出地、すなわち野外で移動しながらその場でデータ入力の作業が実行できることが望ましいからである。そして、この産地情報入力端末２０は、データ入力手段２１、データ送信手段２２及び送信アンテナ２４を有している。
【００２２】
データ入力手段２１により産地情報Ｉの入力が、ブラウザ形式で表わされる入力項目（図示せず）に対して、キー入力したりプルダウン選択したりすることにより実行される。また、このデータ入力手段２１は、現地でバイオマスの映像を撮影する撮像手段（図示せず）を含み、この映像データが図３Ａ（ａ）に示す産地情報Ｉと共に公衆が閲覧可能に公開される場合もある。
なお、これら産地情報Ｉを入力する者は、バイオマスの公正で適正な取引を確保するために、中立な認証機関の専門官が行うことが望ましい。
【００２３】
データ送信手段２２は、データ入力手段２１において入力されたデータを、無線通信用のデータに変換し送信先を管理センタＢの管理サーバ３０に設定して、送信アンテナ２４から送信するものである。
無線基地局１２は、産地情報入力端末２０から送信されたデータを、受信アンテナ２４´において受信し、このデータの送信先である管理サーバ３０が接続されている公衆網１０に流すものである。
なお、以上において産地情報入力端末２０は、移動操作が可能なモバイルであることを前提として説明を行ったが、公衆網１０に直接接続された固定端末であってもよい。
【００２４】
管理サーバ３０は、ルータ１１を介して公衆網１０に接続されている管理センタＢの内部ネットワーク１３上に存在し、回線接続手段３１と、データ受信手段３２と、付加手段（登録手段）３３と、登録記号生成手段３４と、蓄積手段３５と、データ転送手段３６と、受注データ受信手段３７と、発注データ送信手段３８とを備える。そして、管理サーバ３０は、産地情報入力端末２０から送信される産地情報Ｉや、製造者端末５０から送信される譲渡情報（第１、第２譲渡情報）Ｐを受信し、登録記号（第１、第２登録記号）で関連付けて蓄積するものである。
【００２５】
ルータ１１は、公衆網１０と管理センタＢの内部ネットワーク１３とを結ぶ接点であり、双方を行き来して通過するデータやプロトコルの種類を制限し、公衆網１０から内部ネットワーク１３（特に管理サーバ３０）への不法なアクセスを防止するものである。
回線接続手段３１は、内部ネットワーク１３上を行き来する管理サーバ３０宛てのデータを受信して、後記するデータ受信手段３２または受注データ受信手段３７に引き渡したり、後記するデータ転送手段３６の出力するデータを公衆網１０上の指定された宛先に送信したりするものである。
データ受信手段３２は、産地情報入力端末２０から送信された産地情報Ｉ並びに製造者端末５０から送信された譲渡情報Ｐ、端末ＩＤ等、回線接続手段３１が受信した情報を入力して付加手段３３に出力するものである。なお、特許請求の範囲の請求項に記載した、第１、第２認証記号受信手段に対応するものである。
【００２６】
登録記号生成手段３４は、産地情報入力端末２０から登録申請されたバイオマスの産地情報Ｉに対して、図３Ａ（ａ）に示すように一件につき一つの登録子を生成したり、製造者端末５０から受信した譲渡情報Ｐに対して関連付けさせる登録記号（第１、第２登録記号）を生成したりするものである。そして、これら登録記号は、付加手段３３を介して、受信した産地情報Ｉ及び譲渡情報Ｐに付与される。
【００２７】
付加手段（登録手段）３３は、前記したように、入力した各情報（産地情報Ｉ、譲渡情報Ｐ等）を登録記号生成手段３４で生成した登録記号（第１、第２登録記号…）に関連付けさせて蓄積手段３５に保存させるものである。
【００２８】
蓄積手段３５は、登録記号（登録子、第１、第２登録記号）に関連付けさせた各種情報（産地情報Ｉ、譲渡情報Ｐ）が保存されるものである。
データ転送手段３６は、蓄積手段３５に蓄積されているデータを公開サーバ４０の蓄積手段４５に転送するものである。
データ転送手段３６により蓄積手段３５から転送されたデータは、回線接続手段３１から内部ネットワーク１３を経由して公開サーバ４０の回線接続手段４１で取り込まれ、データ受信手段４２により蓄積手段４５に蓄積されることとなる。
このように、蓄積するデータを蓄積手段３５、及び蓄積手段４５に重複して保存させる理由は、データセキュリティ上の観点からである。すなわち、システムの運用上、管理サーバ３０にアクセス可能な者は、バイオマス排出者Ａ及び製品製造者Ｃ等、限定された者のみとし、不特定多数の者（一般需要者Ｄ）がアクセスする公開サーバ４０は、切り離してデータを管理することがセキュリティ面において好適であることによる。
【００２９】
受注データ受信手段３７は、公開されたバイオマスの産地情報Ｉ（図３Ａ（ａ））に基づいて、オンライン注文されたパケットの受注情報を受信して、発注データ送信手段３８を介して当該バイオマスの排出者Ａにその受注情報を転送するものである。また、この受注情報を付加手段３３にも転送し、データシートに売約済みである旨の情報が追加される場合もある。
【００３０】
公開サーバ（情報公開手段）４０は、回線接続手段４１と、データ受信手段４２と、公開要求受信手段４３と、情報抽出手段４４と、蓄積手段４５と、情報転送手段４６と、送信先設定手段４７とを備える。そして公開サーバ４０は、管理センタＢが蓄積している情報を、公開の要求に応じてインターネット（公衆網１０）を経由して、一般に公開するものである（管理センタＢが運営するウェブサイトを公開するウェブサーバである）。なお、この公開される情報は、公開要求する者に与えられた権限に応じてその内容に制限を加えることもできる。
【００３１】
データ受信手段４２は、管理サーバ３０の蓄積手段３５が有しているデータを内部ネットワーク１３を経由して受信して公開サーバ４０の蓄積手段４５に保存するものである。
情報抽出手段４４は、公衆網１０（インターネット）上の者（製品製造者Ｃ、一般需要者Ｄ等）から公開要求のあった情報（産地情報Ｉ、譲渡情報Ｐ）をそれぞれの者のアクセス権限の範囲内で蓄積手段４５から抽出するものである。
送信先設定手段４７は、公開要求受信手段４３で受信した公開要求の送信元を送信先として、前記抽出した情報を情報転送手段４６から公衆網１０に送出するものである。
【００３２】
製造者端末（認証端末）５０は、タグ認証手段５１と、データ送信手段５２と、回線接続手段５３と、情報受信手段５４と、情報表示手段５５と、端末ＩＤ発生手段５６とを備えるものである。そして、製造者端末５０は、流通するバイオマスの一次原料及びその製品に添付されているＩＣタグ７０から認証記号を読み取り、この認証記号が管理センタＢに登録されているか照会してバイオマスの認証を行うものである。
【００３３】
タグ認証手段５１（図１、図２参照）は、アンテナ５１ａとリーダ５１ｂとから構成され、アンテナ５１ａから出力される電磁波による非接触電力伝送技術により、ＩＣタグ７０は駆動される。そして、認証記号の情報が電磁波に変換されアンテナ７０ａからアンテナ５１ａに伝送されてデータ送信手段５２に出力される。
【００３４】
端末ＩＤ発生手段５６は、アクセス権限を与えられた製造者端末５０のみが管理センタＢの管理サーバ３０にアクセスできるようにするものである。すなわち、管理センタＢに登録された端末ＩＤを有する製造者端末５５のみが管理サーバＢへのアクセスが許可される。そして、タグ認証手段５１により読み取られたＩＣタグ７０の認証記号は、端末ＩＤとともにデータ送信手段５２により回線接続手段５３からインターネット（公衆網１０）に送信されることにより管理サーバ３０で受信される。
また、譲渡情報Ｐを管理サーバ３０に登録するために、発送する商品に添付するＩＣタグ７０をタグ認証手段５１で認識させたのち、必要な譲渡情報Ｐを入力する図示しない入力手段もタグ認証手段５１には含まれる。
【００３５】
情報受信手段５４（ブラウザ）は、公開サーバ４０（ウェブサーバ）にアクセスするための手段である。製造者端末５０からネットワーク経由で行った公開要求に対し公開サーバ４０から転送されてきた情報（ウェブページ）は、情報受信手段５４で受信されて情報表示手段５５に表示される。情報表示手段５５は、管理センタＢが公開するウェブサイトの情報を表示するものである。
【００３６】
需要者端末６０は、データ入力手段６１と、データ送信手段６２と、回線接続手段６３と、情報受信手段６４と、情報表示手段６５とを備えるものである。そして、需要者端末６０は、バイオマスを使用した製品に刻印された認証マークＣ１（図１参照）に基づいて、図３Ｂ（ｅ）に示すように、前記した製品のトレーサビリティ情報を得るものである。
【００３７】
データ入力手段６１は、認証マークＣ１である登録記号をデータとしてキー入力するものである。入力された登録記号のデータは、データ送信手段６２（ブラウザ）により回線接続手段６３からインターネット（公衆網１０）経由で公開サーバ４０（ウェブサーバ）にアクセスする。このようにして、需要者端末６０からネットワーク経由で行ったトレーサビリティ情報の公開要求に対し公開サーバ４０から転送されてきた情報（ウェブページ、図３（ｅ）参照）は、情報受信手段６４で受信されて情報表示手段６５に表示される。情報表示手段６５は、管理センタＢが公開するウェブサイトのトレーサビリティ情報を表示するものである。
【００３８】
次に図５を用いて、本発明にかかるバイオマスの認証方法の処理フローについて説明する（適宜、図１、図３Ａ、図３Ｂ、図４参照）。まず、バイオマス排出者Ａ（○×山林組合）においてバイオマス（杉の伐採枝）が排出される（ステップＳ１０）。そして、現地において認証機関の専門官により、産地、分割数及びポイント等の産地情報Ｉが産地情報入力端末２０から入力される（ステップＳ１１）。ここで、分割数は、バイオマスが流通して取引される際の最小単位となるパケットの重量が、現実の取引の現場で取引される最低量にみあうように専門官の裁量により定められる。また、ポイントは排出量の取引枠において適切な値が専門官の裁量により定められる。
【００３９】
次に、入力された産地情報Ｉは管理センタＢにおいて登録され登録子001が与えられ（図３Ａ（ａ）参照）（ステップＳ１２）、各パケットに一次枝記号も付された第１登録記号（001-A01〜001-A20）が発行される（図３Ａ（ｂ）参照）（ステップＳ１３）。その後、図３Ａ（ａ）に示すデータシートに記載された産地情報Ｉがバイオマスの販売情報として管理センタＢのウェブサイトからインターネット（公衆網１０）上に公開される（ステップＳ１４）。このウェブサイトを閲覧した一次製品製造者Ｃ１（ＡＢＣ製材）（ステップＳ１５）は、３トンのバイオマスの一次原料（パケット３個）を購入することを決定し、オンライン上で商品（第１商品）の発注を行う（ステップＳ１６）。
【００４０】
一次製品製造者Ｃ１から登録子001にかかるバイオマスのパケットを３個受注した管理センタＢは、その旨をこのバイオマスの所属する○×山林組合（バイオマス排出者Ａ）に報告する（ステップＳ１７）。この受注報告を受けた○×山林組合は、図１に示すように、所定の分割数で分割してある一次原料(ここでは２０個のパケット)のうち３個にＩＣタグＡ１を添付して（ステップＳ１８）、一次製品製造者Ｃ１に発送する（ステップＳ１９）。また、この発送の直後（直前でもよい）に添付したＩＣタグＡ１（第１認証媒体）の認証ＩＤ（第１認証記号）（図３Ａ（ｂ）では５２０１）、譲渡先（ＡＢＣ製材であること）の情報等が管理センタＢに申請され（ステップＳ２０）、データシート上にこれらの情報が登録される（図３（ｂ）参照）（ステップＳ２１）。なお、ここで、登録されるポイントは、第１商品に含まれるバイオマスの重量に応じて分配され第１登録記号に関連付けされることになる。そして、このデータシートは、管理センタのウェブサイトにおいて適宜、公開することが可能である（ステップＳ２２）。
【００４１】
バイオマス排出者Ａから発送された一次原料を搬入した一次製品製造者Ｃ１（ＡＢＣ製材）（ステップＳ２３）は、タグ認証手段５１を用いてこの一次原料に添付されているＩＣタグＡ１（図２参照）の認証を行う（ステップＳ２４）。タグ認証手段５１で読み取ったＩＣタグＡ１の認証ＩＤ（５２０１）は、端末ＩＤ発生手段５６が出力した端末ＩＤとともに管理サーバ３０のデータ受信手段３２で受信される。そして、図３Ａ（ｂ）で示すようにステップ２０で申請してあらかじめ登録されている認証ＩＤ（５２０１）の譲渡先の者（ＡＢＣ製材）が登録している端末ＩＤと、受信した端末ＩＤとを照合して（ステップＳ２５）一致すれば、排出権の移転も含めて正規に取引が終了したとみなし照合が完了する（ステップＳ２６：ｙｅｓ）。そして、このアクセスがあった日を譲渡先（ＡＢＣ製材）でバイオマス一次原料が受領された日とみなし、図３Ａ（ｂ）に示す一次譲渡情報のデータシート上の譲渡日が記載されて公開される（ステップＳ２２）。また、照合が完了した旨は、一次製品製造者Ｃ１にも報告され、入荷した一次原料の検品が完了したことになる（ステップＳ２８）。この検品完了により、排出権のポイント３００は、バイオマス排出者Ａから一次製品製造者Ｃ１へ譲渡されたことになる。なお、照合が一致しない場合は不受理となり（ステップＳ２７）、排出権のポイントは譲渡されず、その結果が一次製品製造者Ｃ１に報告される。
【００４２】
一次製品製造者Ｃ１（ＡＢＣ製材）は、納品された一次原料を加工して二次原料製品（ここでは、樹脂混練用チップとする）を製造する（ステップＳ２９）。そして、二次製品製造者Ｃ２である△○樹脂工業（図３（ｃ）参照）は、この製造した二次原料製品（樹脂混練用チップ）を２００ｋｇ発注する（ステップＳ３４）。この二次製品製造者Ｃ２（△○樹脂工業）から注文を受けた（ステップＳ３０）一次製品製造業者Ｃ２（ＡＢＣ製材）は、生産した二次原料製品（樹脂混練用チップ２００ｋｇ）にＩＣタグＢ２（図１参照）を添付して（ステップＳ３１）、商品（第２商品）を発送する（ステップＳ３２）。
【００４３】
この発送の直後（直前でもよい）に添付したＩＣタグＢ２（第２認証媒体）の認証ＩＤ（第２認証記号）（図３Ｂ（ｃ）では６００２）、譲渡先の情報（△○樹脂工業であること）の情報等（二次譲渡情報）が管理センタＢに申請される（ステップＳ３３）。すなわち、これら二次譲渡情報は、公衆網１０を経由して管理サーバ３０のデータ受信手段３２で受信され、付加手段３３により登録記号生成手段３４の発生する二次枝記号が一次譲渡情報における登録記号（001-A01）の末尾に付され、データシート上に二次譲渡情報が登録される（図３Ｂ（ｃ）参照）（ステップＳ２１）。なお、ここで、登録されるポイントは、第２商品に含まれるバイオマスの重量に応じて分配され、第２登録記号に関連付けされることになる。そして、このデータシートは、管理センタＢのウェブサイトにおいて適宜、公開される（ステップＳ２２）。
【００４４】
一次製品製造者Ｃ１から発送された二次原料製品（第２商品）を搬入した二次製品製造者Ｃ２（△○樹脂工業）（ステップＳ３５）は、タグ認証手段５１を用いてこの二次原料製品（第２商品）に添付されているＩＣタグＢ２（図１参照）の認証を行う（ステップＳ３６）。タグ認証手段５１で読み取ったＩＣタグＢ２の認証ＩＤ（６００２）は、端末ＩＤ発生手段５６が出力した端末ＩＤとともに管理サーバ３０のデータ受信手段３２で受信される。そして、図３Ｂ（ｃ）で示すステップＳ３３で申請してあらかじめ登録されている登録ＩＤ（６００２）の譲渡先の者（△○樹脂工業）の登録されている端末ＩＤと、受信した端末ＩＤとを照合して（ステップＳ２５）一致すれば、正規に取引が終了したとみなし照合が完了する（ステップＳ２６：ｙｅｓ）。そして、このアクセスがあった日を譲渡先の者（△○樹脂工業）がバイオマスの二次原料製品（第２商品）を受領した日とみなし、図３Ｂ（ｃ）に示す二次譲渡情報のデータシート上に譲渡日が記載されて公開される（ステップＳ２２）。また、照合が完了した旨は、二次製品製造者Ｃ２にも報告され、入荷した二次原料製品の検品が完了したことになる（ステップＳ３７）。この検品完了により、排出権のポイント２０は、一次製品製造者Ｃ１から二次製品製造者Ｃ２へ譲渡されたことになる。なお、照合が一致しない場合は不受理となり（ステップＳ２７）、排出権のポイントは譲渡されず、その結果が二次製品製造者Ｃ２に報告される。
【００４５】
二次製品製造者Ｃ２（△○樹脂工業）は、納品された二次原料製品を加工して最終製品（ここでは、玩具とする）を製造する（ステップＳ３８）。そして、製造した製品が最終製品であるので付随する排出権（ポイント２）を自己の排出枠で消尽させる旨の申請と、この最終製品の情報（玩具１００ｇが２００個であること）とを管理センタＢに申請する（ステップＳ３９）。すなわち、これらの情報は、公衆網１０を経由して管理サーバ３０のデータ受信手段３２で受信され、付加手段３３により登録記号生成手段３４の発生する三次枝記号（C01）が二次譲渡情報における登録記号（001-A01-B02）の末尾に付され、データシート上にこれらが三次譲渡情報として登録される（図３Ｂ（ｄ）参照）（ステップＳ４０）。さらに、この認証マークＣ１の申請によって、図３（ｅ）に示すような、当該最終製品のトレーサビリティ情報が公開される(ステップＳ４２)。そして、管理センタＢは排出権を交付して（ステップＳ４１）、二次製品製造者Ｃ２（△○樹脂工業）は、この排出権を確保する(ステップＳ４３)。
【００４６】
二次製品製造者Ｃ２は、新たに交付された第３登録記号（001-A01-B02-C01）を認証マークＣ１として最終製品に刻印して（ステップＳ４４）、一般需要者Ｄに発送する（ステップＳ４５）。この最終製品を購入した一般需要者Ｄは(ステップＳ４６)、需要者端末６０を用いてこの認証マークＣ１に記載された第３登録記号を照会すれば、図３（ｅ）に示すような製品トレーサビリティ情報を公開サーバ４０から閲覧することができ、当該最終製品のトレーサビリティを確認することができる(ステップＳ４７)。
【００４７】
二次製品製造者Ｃ２は、前記したステップＳ３８からステップ４５にかえ、前記したステップＳ２９からステップＳ３３に相当するフローに従い三次原料製品を製造し申請することができる。また、図３Ｂ（ｄ）に示すように、原料製品や最終製品を在庫のまま、排出権のみを消尽させることも可能とする。
すなわち、バイオマスの排出権は、譲渡される商品（一次原料、二次原料製品等）に含まれるバイオマスの量に応じて、これらに添付されたＩＣタグ（認証媒体）７０に化体させて譲渡できる。そして、排出権を含む商品の譲渡を受けた者は、この排出権を再譲渡させたり自己の排出枠内で消尽させたり、この排出権を自由に処分することができる。
【００４８】
以上述べた、バイオマスの認証方法により、排出権取引が円滑に行われるようになり、また製品のトレーサビリティも確立されることになる。このトレーサビリティが確立されることにより、バイオマスを使用した製品であることの表示の信頼性が向上し、環境保全に対する意識の高い需要者は、優先的にこの製品を求めることになるので、バイオマス製品の需要を大きく喚起することとなる。これにより、バイオマス製品の需要が拡大すれば、量産効果により生産コストを低減させることができ、また排出権取引が円滑に行われるようになれば、製品製造者Ｃは、例え生産コストが割高になったとしても積極的に製品にバイオマスを使用することとなり循環型社会が形成されることとなる。
なお以上の説明において、バイオマスとして間伐材を例示して行ってきたが、その他に古古米、もみがら、牡蠣殻等も考えられる。
【図面の簡単な説明】
【００４９】
【図１】本発明のバイオマス認証方法において、排出されたバイオマスが一次原料として出発して製品化する流通の過程を示す説明図である。
【図２】本発明の認証媒体（ＩＣタグ）とその検出原理とを説明するための構成図である。
【図３Ａ】管理センタが管理する情報の一覧を示すデータシートであって、（ａ）は排出されたバイオマスの一次原料における産地等の情報（産地情報）を示し、（ｂ）はバイオマスの一次原料の譲渡に関する情報（一次譲渡情報）を示す。
【図３Ｂ】管理センタが管理する情報の一覧を示すデータシートであって、（ｃ）はバイオマスの二次原料製品の譲渡に関する情報（二次譲渡情報）を示し、（ｄ）はバイオマスの三次原料製品または最終製品の譲渡に関する情報（三次譲渡情報）を示し、（ｅ）は、一般需要者が、閲覧することが可能な製品のトレーサビリティに関する情報を示す。
【図４】本発明にかかるバイオマスの認証システムを含む実施形態を示す基本構成図である。
【図５】本発明のバイオマスの認証方法における情報または物の流れを示すフローチャートである。
【符号の説明】
【００５０】
１０    公衆網
２０    産地情報入力端末
３０    管理サーバ
３２    データ受信手段（第１、第２認証記号受信手段）
３３    付加手段（第１、第２登録手段）
３４    登録記号生成手段（第１、第２登録記号生成手段）
３５、４５  蓄積手段
３６    データ転送手段
３７    受注データ受信手段
３８    発注データ送信手段
４０    公開サーバ（情報公開手段）
４３    公開要求受信手段
４４    情報抽出手段
４６    情報転送手段（第１、第２情報転送手段）
４７    送信先設定手段
５０    製造者端末（認証端末）
５１    タグ認証手段
５２    データ送信手段
５６    端末ＩＤ発生手段
６０    需要者端末
７０    ＩＣタグ（第１、第２認証媒体、認証媒体、無線ＩＣタグ）
８０    認証システム
Ｉ      産地情報
Ｐ      譲渡情報
【図１】
2005250791.tif 000003
【図２】
2005250791.tif 000004
【図３Ａ】
2005250791.tif 000005
【図３Ｂ】
2005250791.tif 000006
【図４】
2005250791.tif 000007
【図５】
2005250791.tif 000008